(57)【要約】【課題】複数種類の規格の光ディスクに対応可能であって、いずれの光ディスクに対しても良好な特性が得られる光ピックアップを提供する。【解決手段】光ピックアップ１においては、第１の光源１１から出射された光の戻り光と、第２の光源１８から出射された光の戻り光とは、いずれも、平行平板状のビームスプリッタ（図示せず）を透過して受光素子（図示せず）へと至る。第１の光源１１から出射されて情報記録面ＲＳへと至る光の光軸と、第２の光源１８から出射されて情報記録面ＲＳへと至る光の光軸と、はいずれも情報記録面ＲＳに対して垂直な方向から傾いて、第１の光源１１から出射された光の前記戻り光と第２の光源１８から出射された光の前記戻り光とが、前記受光素子の略同一位置に至る。【選択図】図４
2012089188.tif 000002
【特許請求の範囲】
【請求項１】
光源と、
前記光源からの光を光記録媒体の情報記録面に集光する対物レンズと、
前記情報記録面で反射された戻り光を受光する受光素子と、
を備える光ピックアップにおいて、
前記光源には、第１の光源と、前記第１の光源とは異なる波長の光を出射する第２の光源とが含まれ、
前記第１の光源と前記対物レンズとの間の光路には、前記第１の光源から出射された光を反射して前記情報記録面へと導くとともに、前記戻り光を透過して前記受光素子へと導く平行平板状のビームスプリッタが配置され、
前記ビームスプリッタと前記対物レンズとの間には、前記第１の光源からの光と前記第２の光源からの光とを前記対物レンズへと導くとともに、前記戻り光を前記ビームスプリッタへと導く光学路が設けられ、
前記第１の光源から出射されて前記情報記録面へと至る光の光軸と、前記第２の光源から出射されて前記情報記録面へと至る光の光軸と、がいずれも前記情報記録面に対して垂直な方向から傾いて、前記第１の光源から出射された光の前記戻り光と前記第２の光源から出射された光の前記戻り光とが、前記受光素子の略同一位置に至ることを特徴とする光ピックアップ。
【請求項２】
前記対物レンズの傾きを調整するチルト調整機構を備えることを特徴とする請求項１に記載の光ピックアップ。
【請求項３】
前記対物レンズには、前記第１の光源からの光を前記情報記録面に集光する第１の対物レンズと、前記第２の光源からの光を前記情報記録面に集光する第２の対物レンズと、が含まれることを特徴とする請求項１又は２に記載の光ピックアップ。
【請求項４】
前記第１の光源はＤＶＤ対応の光源であり、前記第２の光源はＢＤ対応の光源であることを特徴とする請求項１から３のいずれかに記載の光ピックアップ。
【発明の詳細な説明】
【技術分野】
【０００１】
本発明は、光記録媒体に記録される情報の読み取りや光記録媒体への情報の書き込みを行う際に用いられる光ピックアップに関する。
【背景技術】
【０００２】
従来、ブルーレイディスク（ＢＤ）、デジタル多用途ディスク（ＤＶＤ）、コンパクトディスク（ＣＤ）等の光ディスク（光記録媒体の一例）に記録される情報を読み取ったり、それらに情報を書き込んだりする際に光ピックアップが利用されている。光ピックアップは、光源から出射された光を光ディスクに照射するとともに、光ディスクで反射された反射光（戻り光）を光検出器（受光素子）で検出するように設けられる。
【０００３】
このような光ピックアップの中には、２種類以上の規格の光ディスクに対応できる（情報の読み取りや情報の書き込みを行える）ように設けられるものがある（例えば特許文献１、２参照）。そして、２種類以上の規格の光ディスクに対応する光ピックアップの中には、光学系によって占められる空間を減らす（小型化）等の目的で、いずれの光ディスクに対応する場合にも共通して使用される光学路（共通光学路）が含まれるように光学系が構成されるものがある（例えば特許文献２参照）。
【先行技術文献】
【特許文献】
【０００４】
【特許文献１】特開２００５−２０２９９４号公報
【特許文献２】特開２００８−２５７７９３号公報
【発明の概要】
【発明が解決しようとする課題】
【０００５】
ここで、本出願人が先行開発した、上述の共通光学路を含む光ピックアップについて図面を参照しながら説明する。図５は、本出願人が先行開発した光ピックアップの光学系の構成を示す概略平面図で、図５（ａ）は上から見た図、図５（ｂ）はラジアル（Ｒａｄ）方向に沿って見た側面図である。なお、図５（ｂ）においては、一部の構成についてのみ示し、理解を容易とするために光ディスクについても合わせて示している。また、図５において、ラジアル（Ｒａｄ）方向は光ディスクの半径方向のことで、先行開発の光ピックアップ１００が移動可能な方向である。タンジェンシャル（Ｔａｎ）方向は、光ディスクの接線方向のことで、ラジアル方向に垂直な方向である。
【０００６】
先行開発の光ピックアップ１００が対応可能な光ディスクには、ＢＤ規格の光ディスクとＤＶＤ規格の光ディスクとが含まれる。図５に示すように、先行開発の光ピックアップ１００は、第１の光源１１と、第１のビームスプリッタ（光分離素子）１２と、第２のビームスプリッタ１３と、コリメートレンズ１４と、第１の立ち上げミラー１５と、第２の立ち上げミラー１６と、第１の対物レンズ１７と、第２の光源１８と、第２の対物レンズ１９と、光検出器（受光素子）２０と、を備える。
【０００７】
第１の光源１１はＤＶＤ対応の光源で、例えば波長６５０ｎｍ帯の光を出射する。第１の光源１１から出射した光は、第１のビームスプリッタ１２によって反射され、第２のビームスプリッタ１３、コリメートレンズ１４、ダイクロイックミラーとして構成される第１の立ち上げミラー１５をこの順に透過する。そして、第２の立ち上げミラー１６によって反射され、第２の立ち上げミラー１６の上方にある第１の対物レンズ１７へと至る。第１の対物レンズ１７は、入射したＤＶＤ対応の光を光ディスクＤの情報記録面ＲＳに集光する。
【０００８】
第１の対物レンズ１７によって情報記録面ＲＳに集光された光は、情報記録面ＲＳで反射される。この反射光（戻り光）は、第１の対物レンズ１７を通過後、第２の立ち上げミラー１６で反射され、第１の立ち上げミラー１５、コリメートレンズ１４、第２のビームスプリッタ１３、第１のビームスプリッタ１２をこの順に透過して、光検出器２０に形成される所定の受光領域に集光する。光検出器２０は、受光した光信号を電気信号に変換する光電変換手段として機能し、この光検出器２０から出力された信号を処理することによって、再生信号やサーボ信号が得られる。
【０００９】
第２の光源１８はＢＤ対応の光源で、例えば４０５ｎｍ帯の光を出射する。第２の光源１８から出射した光は、第２のビームスプリッタ１３によって反射され、コリメートレンズ１４を透過する。そして、ダイクロイックミラーとして構成される第１の立ち上げミラー１５によって反射され、第１の立ち上げミラー１５の上方にある第２の対物レンズ１９へと至る。第２の対物レンズ１９は、入射したＢＤ対応の光を光ディスクＤの情報記録面ＲＳに集光する。
【００１０】
第２の対物レンズ１９によって情報記録面ＲＳに集光された後に反射された戻り光は、第２の対物レンズ１９を通過後、第１の立ち上げミラー１５で反射される。この後は、ＤＶＤ対応の光の場合と同様に光検出器２０に形成される所定の受光領域に集光する。なお、先行開発の光ピックアップ１００では、往路（光源１１、１８から情報記録面ＲＳに至るまでの光路）においては、第２のビームスプリッタ１３から第１の立ち上げミラー１５に至るまでの光路が共通光学路として使用され、復路（情報記録面ＲＳから光検出器２０に至るまでの光路）においては、第１の立ち上げミラー１５から光検出器２０に至るまでの光路が共通光学路として使用される。
【００１１】
ところで、先行開発の光ピックアップ１００では、共通光学路に配置される第１のビームスプリッタ１２について、低コスト化等を狙って平行平板状のビームスプリッタを用いる構成を採用している。このような構成の場合、ＤＶＤ対応の光とＢＤ対応の光とでは波長が異なるために、第１のビームスプリッタ１２を透過する場合に両者の間に屈折率差が生じる。このため、第１のビームスプリッタ１２に入射する戻り光の光軸がＤＶＤ対応の場合とＢＤ対応の場合とで一致していると、光検出器２０における集光位置がＤＶＤ対応の光とＢＤ対応の光とで異なる位置となる。
【００１２】
先行開発の光ピックアップ１００では、光検出器２０上に形成される受光領域を複雑としない等の目的で、ＤＶＤ対応の場合とＢＤ対応の場合とで同一の受光領域を使用することにしている。すなわち、戻り光が集光される上記所定の受光領域は、ＤＶＤ対応の場合とＢＤ対応の場合とで同一となる構成を採用している。
【００１３】
このような構成を採用するためには、上記屈折率差による光検出器２０上の集光位置のずれをなくす必要がある。このために先行開発の光ピックアップ１００に採用されている構成について、図６を参照しながら説明する。図６は、先行開発の光ピックアップにおける光軸と光ディスクの情報記録面との関係を示す模式図で、図６（ａ）はＤＶＤ対応の場合の状態を示し、図６（ｂ）はＢＤ対応の場合の状態を示している。
【００１４】
図６に示すように、ＢＤ対応の場合（図６（ｂ）参照）には、情報記録面ＲＳに集光する光の光軸が情報記録面ＲＳに対して垂直になる構成としている。一方、ＤＶＤ対応の場合（図６（ａ）参照）には、情報記録面ＲＳに集光する光の光軸が情報記録面ＲＳに対して垂直になる状態から所定の角度（θ）だけ傾くように構成されている。この所定の角度は、第１の光源１１から出射された光の戻り光が、ＢＤ対応の場合と同一の受光領域に集光するように決定される。
【００１５】
しかしながら、以上のような先行開発の光ピックアップ１００では、情報記録面ＲＳに対して垂直になる方向に対する光軸の傾きが、ＢＤに対応する場合にはほぼゼロとなるが、ＤＶＤに対応する場合には比較的大きな値となってしまう（大きなスキューが発生する）。そして、この場合には、ＤＶＤ対応時に主にコマ収差の影響によって特性が劣化し、ＤＶＤ対応時の読み取り性能や書き込み性能について余裕度がなくなるといった問題があった。
【００１６】
以上の点に鑑みて、本発明の目的は、複数種類の規格の光ディスクに対応可能であって、いずれの光ディスクに対しても良好な特性が得られる光ピックアップを提供することである。
【課題を解決するための手段】
【００１７】
上記目的を達成するために本発明は、光源と、前記光源からの光を光記録媒体の情報記録面に集光する対物レンズと、前記情報記録面で反射された戻り光を受光する受光素子と、を備える光ピックアップにおいて、前記光源には、第１の光源と、前記第１の光源とは異なる波長の光を出射する第２の光源とが含まれ、前記第１の光源と前記対物レンズとの間の光路には、前記第１の光源から出射された光を反射して前記情報記録面へと導くとともに、前記戻り光を透過して前記受光素子へと導く平行平板状のビームスプリッタが配置され、前記ビームスプリッタと前記対物レンズとの間には、前記第１の光源からの光と前記第２の光源からの光とを前記対物レンズへと導くとともに、前記戻り光を前記ビームスプリッタへと導く光学路が設けられ、前記第１の光源から出射されて前記情報記録面へと至る光の光軸と、前記第２の光源から出射されて前記情報記録面へと至る光の光軸と、がいずれも前記情報記録面に対して垂直な方向から傾いて、前記第１の光源から出射された光の前記戻り光と前記第２の光源から出射された光の前記戻り光とが、前記受光素子の略同一位置に至ることを特徴としている。
【００１８】
本構成によれば、２つの光源（第１の光源と第２の光源）から出射されて情報記録面に至る光の光軸をいずれも傾けることによって、平行平板状のビームスプリッタで生じる屈折率差にもかかわらず、第１の光源から出射された光と、第２の光源から出射された光との戻り光が、受光素子の略同一位置に至るように構成している。２つの光源から出射される光のうち、いずれか一方のみを傾ける場合には、一方においてのみコマ収差（スキュー発生）の影響が大きく成りすぎるというアンバランスを生じ、いずれの光ディスクに対応する場合にも良好な特性を得るというのが難しくなる。この点、本構成のように、２つ光源から出射される光の光軸をいずれも傾ける構成とすると、いずれについてもコマ収差（スキュー発生）の影響は出るが、その影響をいずれについても小さなものに留めることが可能になるために、いずれの光ディスクに対応する場合にも良好な特性を得るということが可能になる。また、本構成によれば、各光源から出射される光の往路及び復路について、光源毎に完全に分けるのではなく一部を共有する構成（共通光学路を有する構成）であるために、光ピックアップの小型化が図れる。
【００１９】
上記構成の光ピックアップにおいて、前記対物レンズの傾きを調整するチルト調整機構を備えるのが好ましい。
【００２０】
本構成によれば、２つ光源から出射される光の光軸をいずれも傾ける構成を採用することによって生じたコマ収差（スキュー発生）の影響を適切に補正することが可能であり、いずれの光ディスクに対応する場合にも良好な特性を得やすい。
【００２１】
上記構成の光ピックアップにおいて、前記対物レンズには、前記第１の光源からの光を前記情報記録面に集光する第１の対物レンズと、前記第２の光源からの光を前記情報記録面に集光する第２の対物レンズと、が含まれることとしてもよい。本構成によれば、いわゆる２レンズタイプの光ピックアップにおいて、いずれの光ディスクに対応する場合にも良好な特性を得るということが可能になる。
【００２２】
また、上記構成の光ピックアップにおいて、前記第１の光源はＤＶＤ対応の光源であり、前記第２の光源はＢＤ対応の光源であることとしてもよい。本発明は、このような構成に対して好適である。
【発明の効果】
【００２３】
本発明によれば、複数種類の規格の光ディスクに対応可能であって、いずれの光ディスクに対しても良好な特性が得られる光ピックアップを提供できる。
【図面の簡単な説明】
【００２４】
【図１】本実施形態の光ピックアップの構成を示す概略平面図
【図２】本実施形態の光ピックアップが備える対物レンズアクチュエータの構成を示す概略斜視図
【図３】本実施形態の光ピックアップが備える対物レンズアクチュエータのコイル構成を示す概略斜視図
【図４】本実施形態の光ピックアップにおける光軸と光ディスクの情報記録面との関係を示す模式図
【図５】本出願人が先行開発した光ピックアップの光学系の構成を示す概略平面図
【図６】先行開発の光ピックアップにおける光軸と光ディスクの情報記録面との関係を示す模式図
【発明を実施するための形態】
【００２５】
以下、本発明が適用された光ピックアップの実施形態について、図面を参照しながら説明する。
【００２６】
図１は、本実施形態の光ピックアップの構成を示す概略平面図で、図１（ａ）は光ピックアップの上面図、図１（ｂ）は光ピックアップの側面図である。なお、図１（ｂ）は、図１（ａ）に示す矢印Ａに沿って見た図である。また、図１（ｂ）には、理解を容易とするために、光ディスクＤも併せて示している。
【００２７】
図１に示すように、本実施形態の光ピックアップ１は、ピックアップベース１０と、ピックアップベース１０上に固定配置される対物レンズアクチュエータ３０と、を備えた構成となっている。
【００２８】
ピックアップベース１０の左右の端部には軸受け部１０ａ、１０ｂが設けられている。ピックアップベース１０は、この軸受け部１０ａ、１０ｂによって、光ディスクＤの再生及び／又は記録を行う装置である光ディスク装置に設けられるガイドシャフトＧＳ（図１（ａ）に破線で示す）に摺動可能に支持されることになる。光ディスク装置に設けられるガイドシャフトＧＳは光ディスクＤの半径方向（ラジアル方向）に延びるように配置される。このため、ガイドシャフトＧＳに対して摺動可能とされる光ピックアップ１は、回転する光ディスクＤの所望のアドレスにアクセスして、情報の読み取りや書き込みを行うことができる。
【００２９】
このピックアップベース１０上には、光ピックアップ１の光学系を構成する光学部材が搭載される。光ピックアップ１の光学系の構成は、上述した先行開発の光ピックアップ１００（図５、図６参照）の構成とほぼ同様である。このため、重複する部分については同一の符号を付して、その説明を省略する。
【００３０】
光ピックアップ１が備える２つの対物レンズ１７、１９は、対物レンズアクチュエータ３０に搭載された状態でピックアップベース１０に搭載される。対物レンズアクチュエータ３０は、第１の対物レンズ１７及び第２の対物レンズ１９をフォーカス方向及びトラック方向に移動可能とするとともに、２つの対物レンズ１７、１９の光軸に対する傾き（ラジアル方向の傾き）を調整可能とする。
【００３１】
なお、フォーカス方向とは光ディスクＤに接離する方向であり、詳細には情報記録面ＲＳと略直交する方向である。また、トラック方向とは光ディスクＤの半径方向（ラジアル方向）と略平行な方向である。
【００３２】
ここで、図２及び図３を参照して、光ピックアップ１が備える対物レンズアクチュエータ３０の構成について説明しておく。図２は、本実施形態の光ピックアップが備える対物レンズアクチュエータの構成を示す概略斜視図である。図３は、本実施形態の光ピックアップが備える対物レンズアクチュエータのコイル構成を示す概略斜視図である。対物レンズアクチュエータ３０は、大きくは、ピックアップベース１０に固定配置される強磁性のアクトベース３１と、第１の対物レンズ１７と第２の対物レンズ１９を保持するレンズホルダ３２と、を備える。
【００３３】
なお、本実施形態では２つの対物レンズ１７、１９をタンジェンシャル方向（フォーカス方向Ｆとトラック方向Ｔとの両方に垂直な方向、（図１（ｂ）参照）に配置する構成としているが、これは一例である。すなわち、例えば２つの対物レンズ１７、１９をラジアル方向に配置する構成等とした場合にも、本発明は適用可能である。
【００３４】
アクトベース３１上には、レンズホルダ３２を挟むようにタンジェンシャル方向に対称配置された、一対の永久磁石３３が立設されている。なお、対物レンズアクチュエータ３０においては、永久磁石３３によって作られる磁束を効率良く利用するために、アクトベース３１を折曲形成して得られるヨーク３７が永久磁石３３の外面側に磁着された構成となっている。
【００３５】
レンズホルダ３２には、片側に３本ずつ、両側で計６本となるワイヤ３４の各一端が固定されている。各ワイヤ３４の他端は、アクトベース３１に対して固定配置される回路基板３５に固定され、これにより、レンズホルダ３２はワイヤ３４によって片持ち支持された状態となり、アクトベース３１に対して揺動可能となっている。
【００３６】
なお、アクトベース３１のレンズホルダ３２の下側に該当する部分には図示しない貫通穴が形成されており、光源１１、１８（図５参照）から出射された光がレンズホルダ３２に保持される対物レンズ１７、１９に入射されるようになっている。また、アクトベース３１上には、回路基板３５が固定されるゲルホルダ３６が固定配置されている。そして、その一端がレンズホルダ３２に固定されるワイヤ３４は、一部がゲルホルダ３６のゲル材充填部３６ａに挿通された状態で、他端を回路基板３５に固定されている。ゲル材充填部３６ａに充填されるゲル材は、対物レンズアクチュエータ３０の駆動に応じてワイヤ３４に生じた振動を減衰する役目を果たす。
【００３７】
また、レンズホルダ３２には、レンズホルダ３２の内部側壁に沿って配置されるフォーカスコイル３２１（図３参照）と、レンズホルダ３２の２つの外部側壁（永久磁石３３と対向する側壁）の対称位置に、それぞれ２つずつ配置される４つのトラックコイル３２２（図２及び図３参照）と、レンズホルダ３２の内部であってフォーカスコイル３２１の下部側に、トラック方向Ｔに対称配置される２つのチルトコイル３２３（図３参照）と、が取り付けられている。これら３種類のコイル３２１〜３２３のそれぞれは、いずれも略矩形状に巻回され、ワイヤ３４を介して回路基板３５から電流が供給されるようになっている。
【００３８】
フォーカスコイル３２１に電流が流れると、永久磁石３３によって作られる磁界との電磁気的な作用によって、電流が流れる向き及び電流の大きさに応じて、対物レンズ１７、１９はレンズホルダ３２と共にフォーカス方向Ｆに移動する。同様に、トラックコイル３２２に電流が流れると、その向き及び大きさに応じて、対物レンズ１７、１９はレンズホルダ３２と共にトラック方向Ｔに移動する。
【００３９】
また、チルトコイル３２３に電流が流れると、その向き及び大きさに応じて、対物レンズ１７、１９は、レンズホルダ３２と共にフォーカス方向Ｆ及びトラック方向Ｔに直交する軸（図２に破線で示す）の軸回り方向Ｒに回転する。この回転によって、対物レンズ１７のラジアル方向の傾き（チルト）調整が可能となる。すなわち、対物レンズアクチュエータ３０は、本発明のチルト調整機構の実施形態となっている。
【００４０】
図４は、本実施形態の光ピックアップにおける光軸と光ディスクの情報記録面との関係を示す模式図で、図４（ａ）はＤＶＤ対応の場合の状態を示し、図４（ｂ）はＢＤ対応の場合の状態を示している。図４に示すように、光ピックアップ１においては、ＤＶＤ対応の場合とＢＤ対応の場合とのいずれの場合も、光源１１、１８から出射されて光ディスクＤの情報記録面ＲＳに集光する光の光軸が、情報記録面ＲＳに対して垂直になる状態から各々所定の角度だけ傾くように構成されている。
【００４１】
そして、このように２つの光源１１、１８から出射される光の光軸をいずれも傾けることによって、第１のビームスプリッタ１２で生じる屈折率差にもかかわらず、第１の光源１１から出射された光と、第２の光源１８から出射された光との戻り光が、光検出器２０の略同一位置に集光するようになっている。すなわち、ＤＶＤ対応の場合とＢＤ対応の場合とで同一の受光領域を使用する構成となっている。
【００４２】
先行開発の光ピックアップ１００では、同様の目的で、第１の光源（ＤＶＤ用の光源）１１から出射される光の光軸のみを傾ける構成とした。しかし、本実施形態の光ピックアップ１では、第１の光源１１だけではなく、第２の光源（ＢＤ用の光源）１８から出射される光の光軸をも傾ける構成としている。このために、第１の光源１１から出射される光の光軸を傾ける量αについて、先行開発の光ピックアップ１００における傾け量θ（図６（ａ）参照）よりも小さくすることが可能となっている。
【００４３】
なお、一例ではあるが、先行開発の光ピックアップ１００ではθ＝０．６°であったものを、本実施形態の光ピックアップ１では、例えばα＝０．４°、β＝０．２°とできる。
【００４４】
一般に、ＢＤに対応する場合には、ＤＶＤに対応する場合に比べて光軸の傾きによるコマ収差の影響を受け易い。その他、光軸を傾けることによって非点収差の発生が懸念される。このために、先行開発の光ピックアップ１００では、ＢＤ対応の場合には光軸を傾けない構成（図６（ｂ）参照）を採用した。
【００４５】
この点、本実施形態の光ピックアップ１では、敢えてＢＤ対応の場合に上述のように光軸が傾く構成を採用したために、ＤＶＤ対応時の光軸の傾け量を減らすことができ、ＤＶＤ対応時にコマ収差（スキュー発生）による性能劣化を防止することが可能となっている。勿論、この場合には、ＢＤ対応時にコマ収差（スキュー発生）の影響による性能劣化は起こるが、ＢＤ対応時の光軸の傾け量を、対物レンズアクチュエータ３０によるチルト調整でコマ収差の影響を補正できる範囲となるように小さな傾きとしておけば、ＢＤ対応時の性能劣化も抑制できる。すなわち、本実施形態の光ピックアップ１では、ＤＶＤ対応の場合とＢＤ対応の場合とで発生するスキューをいずれの場合もなるべく小さく抑えられるように調整し、いずれの場合でも良好な特性が得られるようにしている。
【００４６】
なお、ＢＤ対応時の光軸の傾け量について、対物レンズアクチュエータ３０によるチルト調整でコマ収差の影響を補正できる範囲となるような小さな傾きとした場合には、上述の非点収差の発生量も小さく、それによる性能劣化は小さなものに留められる。
【００４７】
次に、このような光ピックアップ１の組み立て方法の一例を示しておく。なお、ここで示す組み立て方法はあくまでも一例であり、他の方法で組み立ててもよい。
【００４８】
まず、第２の光源（ＢＤ用の光源）１８から出射されてコリメートレンズ１４から出射される光（平行光）の光軸に傾きがないように、例えばオートコリメータ等を用いて、第２の光源１８の位置を調整する。この時点では、第２の光源１８の位置は未だ完全に固定しない。なお、この第２の光源１８の位置を調整する前に、第１のビームスプリッタ１２、第２のビームスプリッタ１３、コリメートレンズ１４、第１の立ち上げミラー１５、第２の立ち上げミラー１６は、ピックアップベース１０の所定位置に固定されている。
【００４９】
次に、予め、第１の対物レンズ１７と第２の対物レンズ１９との相対チルトがゼロとなるように調整された対物レンズアクチュエータ３０をピックアップベース１０に搭載する。なお、この際、必要に応じて、第２の対物レンズ１９自体が有するコマ収差の発生を抑制すべく、第２の対物レンズ１９（対物レンズアクチュエータ３０）の傾き調整を行う。
【００５０】
この後、第２の光源１８の位置を、その時点における光軸中心から予め定めた方向及び量だけずらし、完全に固定する。これにより、第２の光源１８から出射される光の光軸は、光ディスクＤの情報記録面ＲＳに垂直な方向から所定の角度傾いた状態となり、戻り光が第１のビームスプリッタ１２に入射する入射角も４５°から所定の角度だけずれる。先に述べたように、第２の光源１８の位置をずらすことによって得られる光軸の傾きは、それによって発生するコマ収差を対物レンズアクチュエータ３０によるチルト調整で補正できる程度のものとしておく。
【００５１】
第２の光源１８の位置が決まると、次に、第２の光源１８から光を出射して、戻り光が光検出器２０の所定の位置に集光するように光検出器２０の位置を調整し、位置が決まったら光検出器２０を固定する。その後、第１の光源１１から光を出射し、戻り光が第２の光源１８の場合と同一位置に集光するように、第１の光源１１の位置を調整し、位置が決まったら第１の光源１１を固定する。
【００５２】
これにより、第１の光源１１から出射されて情報記録面ＲＳに集光する光の光軸と、第２の光源１８から出射されて情報記録面ＲＳに集光する光の光軸と、がいずれも情報記録面ＲＳに対して垂直な方向から傾いて、第１の光源１１から出射された光と第２の光源１８から出射された光とで、戻り光が光検出器２０の略同一位置に集光する、本実施形態の光ピックアップ１が得られる。
【００５３】
以上に示した実施形態は本発明の一例であり、本発明の光ピックアップは以上に示した構成に限定されるものではない。
【００５４】
例えば、本実施形態の光ピックアップ１は、ＤＶＤ及びＢＤに加えてＣＤにも対応する光ピックアップであってもよい。この場合の構成例として、第１の光源１１の位置に、ＤＶＤ用の光（波長６５０ｎｍ帯の光）とＣＤ用の光（波長７８０ｎｍ帯の光）とを出射する２つの発光点を有する２波長レーザを配置する構成とし、第１の対物レンズ１７をＤＶＤ及びＣＤ用として使用する構成としてもよい。そして、ＣＤ用の光源から出射される光の戻り光は、ＢＤ及びＤＶＤとは異なる位置に集光するようにしてもよい。その他、光ピックアップ対応可能な光ディスクの種類（規格）については、適宜変更可能であるのは言うまでもない。
【００５５】
また、以上に示した実施形態では、光ピックアップ１が対物レンズを２つ備える構成としたが、１つの対物レンズのみを備える構成であっても、本発明は適用可能である。また、対物レンズ１７、１９の傾きを調整するチルト調整機構について、本実施形態の対物レンズアクチュエータ３０以外の構成でも構わない。
【産業上の利用可能性】
【００５６】
本発明は、例えばＢＤ、ＤＶＤ及びＣＤに対応可能な光ピックアップに対して好適である。
【符号の説明】
【００５７】
１  光ピックアップ
１１  第１の光源
１２  第１のビームスプリッタ（平行平板状のビームスプリッタ）
１７  第１の対物レンズ
１８  第２の光源
１９  第２の対物レンズ
２０  光検出器（受光素子）
３０  対物レンズアクチュエータ（チルト調整機構）
Ｄ    光ディスク（光記録媒体）
ＲＳ  情報記録面
【図１】
2012089188.tif 000003
【図２】
2012089188.tif 000004
【図３】
2012089188.tif 000005
【図４】
2012089188.tif 000006
【図５】
2012089188.tif 000007
【図６】
2012089188.tif 000008